【事件の表示】
　特願２００６−２３０３３１「インバータ装置」拒絶査定不服審判事件〔平成１８年１２月２１日出願公開、特開２００６−３４５６９４〕について、次のとおり審決する。
【結　論】
　本件審判の請求は、成り立たない。
【理　由】
１．手続の経緯・本願の発明
　本願は、平成３年９月１１日に出願した特願平３−２３１４６７号の一部を平成１３年１２月１８日に新たな特許出願とした特願２００１−３８３８７６号の一部を平成１５年２月１０日に新たな特許出願とした特願２００３−３１８３６号の一部を平成１６年４月１６日に新たな特許出願とした特願２００４−１２１７１７号の一部を平成１８年８月２８日に新たな特許出願としたものあって、平成１９年９月４日付けで拒絶査定がなされ、これに対し、同年１０月１１日に拒絶査定不服審判の請求がされ、さらに、同年１２月２７日付けの当審拒絶理由通知書が通知されたものである。本願の請求項１に係る発明（以下「本願発明」という。）は、平成１９年１月２９日付けの手続補正書により補正された特許請求の範囲、明細書及び図面の記載からみて、特許請求の範囲の請求項１に記載された次の事項により特定されるとおりのものと認める。
「１台のインバータ装置で少なくとも２台のモートルを切替えて可変速駆動するインバータ装置において、
互いに異なる制御方式で前記モートルを制御する複数の制御手段と、
前記少なくとも２台のモートルの各モートルの制御定数を各々記憶する記憶手段と、
第１の外部信号により選択されたモートルに対応する制御定数を選択する選択手段とを具備し、
前記モートルおよび制御手段を第１の外部信号により選択し、前記選択手段により選択された制御定数を用いて第２の外部信号により当該選択されたモートルを運転動作させて当該モートルを可変速制御する
ことを特徴とするインバータ装置。」
　
２．引用例
（１）これに対して、当審の拒絶の理由に引用された特開平１−２５２１９９号公報（以下「引用例」という。）には、「インバータ装置」と題して、図面と共に次の事項が記載されている。
　
・「この発明は、上記のような課題を解消するためになされたもので、１台のインバータ装置で、電気的特性の異なる複数の交流電動機に、それぞれ最適な出力電圧を選択信号により選択供給することができるインバータ装置を得ることを目的とする。
［課題を解決するための手段］
　この発明に係るインバータ装置は、出力電圧を設定する出力電圧設定手段を複数設け、該複数の出力電圧設定手段の一つを選択信号により選択するようにしたものである。
［作用］
　この発明におけるインバータ装置は、複数の出力電圧設定手段を備え、これを選択信号によって選択して使用するようにしたので、異なる交流電動機のような負荷の電気的特性に応じて最適な出力電圧を選択し供給することができる。
［発明の実施例］
　以下、この発明の一実施例を図について説明する。第１図において、１は直流電源、２乃至７は直流電源１にブリッジ接続された６個のトランジスタ、８乃至１３はトランジスタ２乃至７と逆並列接続された６個のダイオード、１４ａ，１４ｂは電気的特性の異なる交流電動機である。１５ａ，１５ｂは電圧指令発生器、１６は図示しない周波数指令手段からの指令と電圧指令発生器１５ａまたは１５ｂからの指令によりパルス信号を発生するＰＷＭ信号発生器、１７はＰＷＭ信号発生器１６からの信号を増幅してトランジスタ２乃至７のベースに印加するベースアンプ、１８はインバータ部、１９ａ，１９ｂはコンタクタである。２０ａ，２０ｂは図示しない周波数指令手段からの指令信号を電圧指令発生器１５ａまたは１５ｂのいずれかに選択接続するスイッチまたは接点であり、コンタクタ１９ａ，１９ｂに連動させてある。
　例えば、交流電動機１４ａは通常の交流電動機であり、交流電動機１４ｂは高抵抗の交流電動機であるとする。電圧指令発生器１５ａは第４図の実線で示すような通常の交流電動機１４ａに最適な低い出力電圧を発生させる電圧パターンが入力され記憶させてあり、電圧指令発生器１５ｂは第４図の破線で示すような高抵抗の交流電動機１４ｂに最適な高い出力電圧を発生させる電圧パターンが入力され記憶させてある。
　このインバータ装置で普通の交流電動機１４ａに電力を供給しようとするときは、コンタクタ１９ａを閉路する。すると、接点２０ａが連動して閉路する。そこで、図示しない周波数指令手段からの周波数指令信号はＰＷＭ信号発生器１６に入力されるとともに、電圧指令発生器１５ａの方に入力される。電圧指令発生器１５ａは、記憶している電圧パターンにより、通常の交流電動機１４ａに最適な低い出力電圧を発生させる電圧指令信号を出力しＰＷＭ信号発生器１６に送る。ＰＷＭ信号発生器１６では、入力した前記周波数指令信号及び低い電圧の電圧指令信号により、それに対応する周期及びパルス幅のパルス信号を作成し、ベースアンプ１７へ送る。ベースアンプ１７はこの信号を増幅して交互周期的に６個のトランジスタ２乃至７のベースに送る。６個のトランジスタ２乃至７はこの信号によって駆動され、指令された周波数及び低い電圧の電力を通常の交流電動機１４ａに供給する。以上のようにして、通常の交流電動機１４ａは電圧指令発生器１５ａによって指令された通常の交流電動機に最適な低い電圧の電力を受け適正に運転される。
　次に、このインバータ装置で高抵抗の交流電動機１４ｂを運転しようとするときは、コンタクタ１９ｂを閉路する。すると接点２０ｂが連動して閉路する。そこで、前述と同様な周波数指令信号は電圧指令発生器１５ｂの方に入力される。電圧指令発生器１５ｂは高抵抗の交流電動機１４ｂに最適な高い出力電圧を発生させる電圧指令信号を出力しＰＷＭ信号発生器１６に送る。ＰＷＭ信号発生器１６では、前述と同様に指令に対応するパルス信号を作成し、ベースアンプ１７へ送る。ベースアンプ１７はこれを増幅して６個のトランジスタ２乃至７のベースに送りトランジスタを駆動する。これによって、指令された周波数及び高い電圧の電力が高抵抗の交流電動機１４ｂに供給され、高抵抗の交流電動機１４ｂは所望のトルクを発揮して適正に運転される。」（２頁右下欄１行〜３頁右下欄２行）
　
・第１図には、１台のインバータ装置で２台の交流電動機を切替えて駆動するインバータ装置の構成、２つの電圧指令発生器を備える構成、及び、交流電動機をコンタクタにより選択する構成が示されている。
　
・第４図には、電圧パターンが出力周波数Ｆに対する出力電圧Ｖの特性であることが示されている。
　
　これらの記載事項及び図示内容を総合すると、引用例には次の発明（以下「引用発明」という。）が記載されているものと認められる。
　
「１台のインバータ装置で２台の交流電動機を切替えて周波数指令信号により駆動するインバータ装置において、
前記交流電動機に最適な出力電圧を発生させる電圧指令信号を出力する２つの電圧指令発生器と、
前記２台の交流電動機の各交流電動機に最適な出力電圧を発生させる出力周波数Ｆに対する出力電圧Ｖの特性である電圧パターンを２つの電圧指令発生器に各々記憶させてある手段と、
コンタクタにより選択された交流電動機に最適な出力電圧を発生させる電圧パターンを記憶させてある電圧指令発生器を選択接続する接点とを具備し、
前記交流電動機をコンタクタにより選択し、また、前記コンタクタに連動して電圧指令発生器を選択し、前記接点により選択接続された電圧指令発生器に記憶している電圧パターンを用いて周波数指令信号により当該選択された交流電動機を運転させて当該交流電動機を周波数指令信号により制御する
インバータ装置。」
　
３．対比
　本願発明と引用発明を対比すると、後者の「２台」が前者の「少なくとも２台」に相当し、以下同様に、「交流電動機」が「モートル」に、「周波数指令信号により駆動する」が「可変速駆動する」に、「交流電動機に最適な出力電圧を発生させる電圧指令信号を出力する２つの電圧指令発生器」が「モートルを制御する複数の制御手段」に、「選択接続する接点」が「選択する選択手段」に、それぞれ相当している。
　そして、引用発明の「出力周波数Ｆに対する出力電圧Ｖの特性である電圧パターン」は、Ｖ／Ｆ特性ということができ、一方、本願発明の「制御定数」は、本願明細書の段落【０００９】の「制御定数（例えば、ＦＢ信号、誘導電動機定数、Ｖ／Ｆ特性、保護レベル、運転条件、制御の為のその他の定数など）」との記載から、「Ｖ／Ｆ特性」を含むものであるから、引用発明の「電圧パターン」は、本願発明の「制御定数」に相当する。
　また、引用発明の「２台の交流電動機の各交流電動機に最適な出力電圧を発生させる出力周波数Ｆに対する出力電圧Ｖの特性である電圧パターンを２つの電圧指令発生器に各々記憶させてある手段」は、本願発明の「少なくとも２台のモートルの各モートルの制御定数を各々記憶する記憶手段」に相当する。
　次に、引用発明の「コンタクタにより選択された交流電動機に最適な出力電圧を発生させる電圧パターンを記憶させてある電圧指令発生器を選択接続する接点」と本願発明の「第１の外部信号により選択されたモートルに対応する制御定数を選択する選択手段」とは、引用発明においては接点により電圧指令発生器が選択接続されたことにより記憶させてある電圧パターンが選択されることになるのであるから、「選択されたモートルに対応する制御定数を選択する選択手段」の概念で共通する。
　さらに、引用発明の「交流電動機をコンタクタにより選択し、また、前記コンタクタに連動して電圧指令発生器を選択し、接点により選択接続された電圧指令発生器に記憶している電圧パターンを用いて周波数指令信号により当該選択された交流電動機を運転させて当該交流電動機を周波数指令信号により制御する」態様と、本願発明の「モートルおよび制御手段を第１の外部信号により選択し、選択手段により選択された制御定数を用いて第２の外部信号により当該選択されたモートルを運転動作させて当該モートルを可変速制御する」態様とは、引用発明においては交流電動機および電圧指令発生器がコンタクタにより、または、コンタクタに連動して選択されるのであるから、交流電動機および電圧指令発生器をコンタクタにより選択しているため、「モートルおよび制御手段を選択し、選択手段により選択された制御定数を用いて指令信号により当該選択されたモートルを運転動作させて当該モートルを可変速制御する」との概念で共通する。
　
　したがって、両者は、
「１台のインバータ装置で少なくとも２台のモートルを切替えて可変速駆動するインバータ装置において、
前記モートルを制御する複数の制御手段と、
前記少なくとも２台のモートルの各モートルの制御定数を各々記憶する記憶手段と、
選択されたモートルに対応する制御定数を選択する選択手段とを具備し、
前記モートルおよび制御手段を選択し、前記選択手段により選択された制御定数を用いて指令信号により当該選択されたモートルを運転動作させて当該モートルを可変速制御する
インバータ装置。」
である点で一致し、次の点で相違する。
［相違点１］
　モートルを制御する複数の制御手段に関して、本願発明では「互いに異なる制御方式で」モートルを制御するのに対し、引用発明ではかかる特定がされていない点。
［相違点２］
　選択されたモートルに関して、本願発明では「第１の外部信号により」選択されたとしているのに対して、引用発明では「コンタクタにより」選択されるようにした点。
［相違点３］
　モートルおよび制御手段の選択が、本願発明では「第１の外部信号により」なされるのに対し、引用発明では、「コンタクタにより」なされる点。
［相違点４］
　モートルを運転動作させる指令信号に関して、本願発明では「第２の外部信号」としているのに対し、引用発明では「周波数指令信号」としている点。
　
４．判断
　上記相違点１ないし相違点４について以下検討する。
（１）相違点１について
　インバータ装置の技術分野において、互いに異なる制御方式でモートルを制御する複数の制御手段を具備することにより、電動機の使用目的に応じて最適な制御法を選択することは、例えば特開平２−３２７８８号公報（特に１７頁左下欄１５行〜同頁右下欄１２行を参照。）に記載されているように周知技術であるから、電動機の使用目的に応じて最適な制御法を選択するという課題の下に、この周知技術を引用発明に適用して相違点１に係る本願発明の構成とすることは、当業者にとって容易である。
　
（２）相違点２ないし相違点４について
　一般にコンタクタを外部信号により操作することにより遠隔制御することは、例示するまでもなく周知技術であるから、遠隔制御という課題の下に、この周知技術を引用発明に適用して相違点２及び相違点３に係る本願発明の構成とすることは、当業者にとって容易であり、また、引用発明において指令信号（周波数指令信号）を外部から与えるようにすることは単なる設計的事項にすぎないから、これに伴いモートルおよび制御手段を選択する外部信号に加え、モートルを運転動作させる外部からの指令信号が存在することになるところ、モートルおよび制御手段を選択する外部信号を「第１の外部信号」と称し、モートルを運転動作させる外部からの指令信号を「第２の外部信号」と称することも任意である。
　
　そして、本願発明の全体構成により奏される効果も、引用発明及び上記周知技術から当業者が予測し得る範囲内のものである。
　
５．むすび
　したがって、本願発明は、引用発明及び上記周知技術に基いて当業者が容易に発明をすることができたものであるので、特許法第２９条第２項の規定により特許を受けることができない。
　よって、結論のとおり審決する。